(57)【要約】【課題】定期券発行の効率化を図ることができる定期券発行システムを提供することである。【解決手段】定期券発行システムは、情報入力装置、情報管理装置、及び定期券発行装置を備える。情報入力装置は、入力された媒体識別情報と定期券購入情報を情報管理装置へ送信し、情報管理装置は、媒体識別情報と定期券購入情報を受信し、定期券発行装置は、情報記憶媒体から読み取られた媒体識別情報に対応する定期券購入情報を情報管理装置へ要求し、情報管理装置は、要求された媒体識別情報に対応する定期券購入情報を定期券発行装置へ送信し、定期券発行装置は、要求された媒体識別情報に対応する定期券購入情報を受信し、定期券購入情報に基づき定期券を発行する。【選択図】図２
2014182757.tif 000002
【特許請求の範囲】
【請求項１】
情報入力装置、情報管理装置、及び定期券発行装置により構成される定期券発行システムであって、
情報入力装置は、
情報記憶媒体から読み取られた媒体識別情報の入力と定期券購入情報の入力とを受け付ける第１の受付モード、及び定期券購入情報の入力を受け付ける第２の受付モードの何れかを実行する受付手段と、
前記第１の受付モードの実行に対応し、前記媒体識別情報及び前記定期券購入情報を含む第１の購入情報を情報管理装置へ送信し、前記第２の受付モードの実行に対応し、前記定期券購入情報を含む第２の購入情報を前記情報管理装置へ送信し前記情報管理装置から前記第２の購入情報に対応する受付識別情報を受信する第１の通信手段と、
前記第２の受付モードの実行に対応し、前記受付識別情報を発行する情報発行手段と、
を備え、
情報管理装置は、
情報入力装置からの媒体識別情報と定期券購入情報を含む第１の購入情報を受信し、定期券発行装置に対して前記第１の購入情報を送信し、前記情報入力装置からの定期券購入情報を含む第２の購入情報を受信し、前記情報入力装置に対して前記第２の購入情報に対応する受付識別情報を送信し、前記定期券発行装置に対して前記第２の購入情報及び受付識別情報を送信する第２の通信手段と、
前記第２の購入情報の受信に対応して、前記第２の購入情報に対応する受付識別情報を生成する生成手段と、
を備え、
定期券発行装置は、
情報記憶媒体から読み取られた媒体識別情報の入力に対応し、情報管理装置に対して前記媒体識別情報に対応する第１の購入情報を要求し、前記情報管理装置からの前記媒体識別情報と定期券購入情報を含む第１の購入情報を受信し、受付識別情報の入力に対応し、前記情報管理装置に対して前記受付識別情報に対応する第２の購入情報を要求し、前記情報管理装置からの定期券購入情報を含む前記第２の購入情報を受信する第３の通信手段と、
前記第１の購入情報の受信に対応し、前記第１の購入情報に含まれた定期券購入情報に基づき定期券の発行、又は前記情報記憶媒体に対する定期券情報の書き込みを実行し、前記第２の購入情報の受信に対応し、前記第２の購入情報に含まれた定期券購入情報に基づき定期券の発行を実行する定期券発行手段と、
を備える定期券発行システム。
【請求項２】
前記定期券発行手段は、前記第１の購入情報の受信に対応し、前記第１の購入情報に含まれた定期券購入情報に対応する定期券情報を前記情報記憶媒体に書き込む請求項１の定期券発行システム。
【請求項３】
複数の情報入力装置、情報管理装置、及び複数の定期券発行装置により構成される請求項１又は２の定期券発行システム。
【請求項４】
情報記憶媒体から読み取られた媒体識別情報の入力と定期券購入情報の入力とを受け付ける第１の受付モード、及び定期券購入情報の入力を受け付ける第２の受付モードの何れかを実行する受付手段と、
前記第１の受付モードの実行に対応し、前記媒体識別情報及び前記定期券購入情報を含む第１の購入情報を情報管理装置へ送信し、前記第２の受付モードの実行に対応し、前記定期券購入情報を含む第２の購入情報を前記情報管理装置へ送信し前記情報管理装置から前記第２の購入情報に対応する受付識別情報を受信する通信手段と、
前記第２の受付モードの実行に対応し、前記受付識別情報を発行する情報発行手段と、
を備える情報入力装置。
【請求項５】
情報入力装置からの媒体識別情報と定期券購入情報を含む第１の購入情報を受信し、定期券発行装置に対して前記第１の購入情報を送信し、前記情報入力装置からの定期券購入情報を含む第２の購入情報を受信し、前記情報入力装置に対して前記第２の購入情報に対応する受付識別情報を送信し、前記定期券発行装置に対して前記第２の購入情報及び受付識別情報を送信する通信手段と、
前記第２の購入情報の受信に対応して、前記第２の購入情報に対応する受付識別情報を生成する生成手段と、
を備える情報管理装置。
【請求項６】
情報記憶媒体から読み取られた媒体識別情報の入力に対応し、情報管理装置に対して前記媒体識別情報に対応する第１の購入情報を要求し、前記情報管理装置からの前記媒体識別情報と定期券購入情報を含む第１の購入情報を受信し、受付識別情報の入力に対応し、前記情報管理装置に対して前記受付識別情報に対応する第２の購入情報を要求し、前記情報管理装置からの定期券購入情報を含む前記第２の購入情報を受信する通信手段と、
前記第１の購入情報の受信に対応し、前記第１の購入情報に含まれた定期券購入情報に基づき定期券の発行を実行し、前記第２の購入情報の受信に対応し、前記第２の購入情報に含まれた定期券購入情報に基づき定期券の発行を実行する定期券発行手段と、
を備える定期券発行装置。
【請求項７】
前記定期券発行手段は、前記第１の購入情報の受信に対応し、前記第１の購入情報に含まれた定期券購入情報に対応する定期券情報を前記情報記憶媒体に書き込む請求項６の定期券発行装置。
【発明の詳細な説明】
【技術分野】
【０００１】
本発明の実施形態は、情報入力装置、情報管理装置、及び定期券発行システムに関する。
【背景技術】
【０００２】
鉄道などの交通機関では、定期乗車券（以下、定期券）が発行されている。例えば、ＩＣカードにより実現される定期券、及び磁気カードにより実現される定期券が発行されている。これら定期券は、カード識別情報、乗車区間情報、及び有効期限情報などを記憶する。
【０００３】
例えば、定期券の購入を希望するユーザは、定期券購入用紙に定期券購入情報を記入し、窓口に持参する。定期券購入情報としては、例えば、住所、氏名、年齢、電話番号、発駅、着駅、経由駅、経路がある。窓口係員は、ユーザから定期券購入用紙を受け取り、定期券購入用紙に記入された定期券購入情報を定期券発行装置へ入力し、ユーザから定期券の代金を受け取り、定期券発行装置へ代金を投入する。定期券発行装置は、入力された定期券購入情報、及び投入された代金に基づき、定期券を発行する。
【先行技術文献】
【特許文献】
【０００４】
【特許文献１】特開平０７−２００６８８号公報
【特許文献２】特開２００４−２７２５４４号公報
【発明の概要】
【発明が解決しようとする課題】
【０００５】
上記したように、定期券購入情報として、住所、氏名、年齢、電話番号、発駅、着駅、経由駅、経路があり、窓口係員は、これら多くの情報を正確に入力しなければならず、これら多くの情報の入力作業は窓口係員の負担になっている。
【０００６】
また、新学期のシーズン前には、多くのユーザが定期券の購入を求めるため、窓口が混雑することがある。このような混雑の緩和策が要望されている。
【０００７】
本発明の目的は、定期券発行の効率化を図ることができる情報入力装置、情報管理装置、及び定期券発行システムを提供することである。
【課題を解決するための手段】
【０００８】
実施形態に係る定期券発行システムは、情報入力装置、情報管理装置、及び定期券発行装置を備える。情報入力装置は、情報記憶媒体から読み取られた媒体識別情報の入力と定期券購入情報の入力とを受け付ける第１の受付モード、及び定期券購入情報の入力を受け付ける第２の受付モードの何れかを実行する受付手段と、前記第１の受付モードの実行に対応し、前記媒体識別情報及び前記定期券購入情報を含む第１の購入情報を情報管理装置へ送信し、前記第２の受付モードの実行に対応し、前記定期券購入情報を含む第２の購入情報を前記情報管理装置へ送信し前記情報管理装置から前記第２の購入情報に対応する受付識別情報を受信する第１の通信手段と、前記第２の受付モードの実行に対応し、前記受付識別情報を発行する情報発行手段と、を備える。情報管理装置は、情報入力装置からの媒体識別情報と定期券購入情報を含む第１の購入情報を受信し、定期券発行装置に対して前記第１の購入情報を送信し、前記情報入力装置からの定期券購入情報を含む第２の購入情報を受信し、前記情報入力装置に対して前記第２の購入情報に対応する受付識別情報を送信し、前記定期券発行装置に対して前記第２の購入情報及び受付識別情報を送信する第２の通信手段と、前記第２の購入情報の受信に対応して、前記第２の購入情報に対応する受付識別情報を生成する生成手段と、を備える。定期券発行装置は、情報記憶媒体から読み取られた媒体識別情報の入力に対応し、情報管理装置に対して前記媒体識別情報に対応する第１の購入情報を要求し、前記情報管理装置からの前記媒体識別情報と定期券購入情報を含む第１の購入情報を受信し、受付識別情報の入力に対応し、前記情報管理装置に対して前記受付識別情報に対応する第２の購入情報を要求し、前記情報管理装置からの定期券購入情報を含む前記第２の購入情報を受信する第３の通信手段と、前記第１の購入情報の受信に対応し、前記第１の購入情報に含まれた定期券購入情報に基づき定期券の発行、又は前記情報記憶媒体に対する定期券情報の書き込みを実行し、前記第２の購入情報の受信に対応し、前記第２の購入情報に含まれた定期券購入情報に基づき定期券の発行を実行する定期券発行手段と、を備える。
【図面の簡単な説明】
【０００９】
【図１】実施形態に係る定期券発行システムの概略構成の一例を示す図である。
【図２】実施形態に係る定期券発行システムを構成する各機器の概略構成の一例を説明するためのブロック図である。
【図３】実施形態に係る定期券発行処理の一例を示す図である。
【図４】実施形態に係る精算処理の一例を示す図である。
【発明を実施するための形態】
【００１０】
以下、実施形態について図面を参照して説明する。
【００１１】
図１は、実施形態に係る定期券発行システムの概略構成の一例を示す図である。図２は、実施形態に係る定期券発行システムを構成する各機器の概略構成の一例を説明するためのブロック図である。
【００１２】
図１及び図２に示すように、定期券発行システムは、複数台の事前入力用タブレット端末（情報入力端末）１Ａ、１Ｂ、１Ｃ、定期券発売所制御装置（情報管理装置）２、複数台の定期券発行用タブレット端末４Ａ、４Ｂ、ＩＣ読取発券装置５、磁気券読取発券装置６、複数台の会計用タブレット端末７Ａ、７Ｂ、及び複数台の入出金装置８Ａ、８Ｂなどを備える。
【００１３】
複数台の事前入力用タブレット端末（情報入力端末）１Ａ、１Ｂ、１Ｃ、定期券発売所制御装置（情報管理装置）２、複数の定期券発行用タブレット端末４Ａ、４Ｂ、ＩＣ読取発券装置５、磁気券読取発券装置６、会計用タブレット端末７Ａ、７Ｂ、入出金装置８Ａ、８Ｂは、内部のネットワークを介して接続される。また、外部とのネットワークを介して、定期券発売所制御装置２は、上位装置９と接続される。上位装置９に対しては、各定期券発売所に設置された定期券発売所制御装置２が接続される。
【００１４】
事前入力用タブレット端末１Ａは、制御部１１、ＩＣ＿Ｒ／Ｗ（リーダ／ライタ）１２、記憶部１３、通信部１４、入出力部１５を備える。事前入力用タブレット端末１における各種処理は制御部１１により制御される。例えば、ＩＣ＿Ｒ／Ｗ１２は、事前入力用タブレット端末１に対して着脱可能に構成される。
【００１５】
例えば、入出力部１５は、タッチパネル等で構成され、ユーザからの定期券購入情報の入力を受け付け、また、入力された定期券購入情報等を表示する。例えば、定期券購入情報は、住所、氏名、年齢、電話番号、発駅、着駅、経由駅、経路、開始日、有効期間等を含む。
【００１６】
事前入力用タブレット端末１Ａは、第１の受付モード及び第２の受付モードの何れかを実行し、何れかのモードで定期券購入手続きを受け付ける。第１の受付モードは、ＩＣカード等の情報記憶媒体を必要とする受付モードである。第２の受付モードは、ＩＣカード等の情報記憶媒体を必要としない受付モードである。
【００１７】
ユーザが、入出力部１５を介して、ＩＣカードによる定期券の購入を選択すると（第１の受付モードを選択すると）、例えば、入出力部１５は、ＩＣカードをＩＣ＿Ｒ／Ｗ１２の挿入口へ挿入する又はＩＣ＿Ｒ／Ｗ１２のカード置き場へセットし、定期券購入情報を入力するように案内する。ユーザが、ＩＣカードをＩＣ＿Ｒ／Ｗ１２の挿入口へ挿入する又はＩＣ＿Ｒ／Ｗ１２のカード置き場へセットすると、ＩＣ＿Ｒ／Ｗ１２は、情報記憶媒体としてのＩＣカードと接触又は非接触で通信し、ＩＣカードから情報（例えば媒体識別情報のエンコードデータ）を読み取る。さらに、ユーザが、入出力部１５を介して、例えば、住所、氏名、年齢、電話番号、発駅、着駅、経由駅、経路、開始日、有効期間等の定期券購入情報を入力すると、記憶部１３は、ＩＣカードから読み取った媒体識別情報、入出力部１５を介して入力された定期券購入情報等を記憶する。通信部１４は、ＩＣカードから読み取った媒体識別情報、及び入出力部１５を介して入力される定期券購入情報を含む第１の購入情報を定期券発売所制御装置２へ送信する。後述する定期券の受け取りには、ＩＣカードが必要となる。
【００１８】
ユーザが、入出力部１５を介して、ＩＣカードを利用しない定期券の購入を選択すると（第２の受付モードを選択すると）、例えば、入出力部１５は、定期券購入情報を入力するように案内する。ユーザが、入出力部１５を介して、例えば、住所、氏名、年齢、電話番号、発駅、着駅、経由駅、経路、開始日、有効期間等の定期券購入情報を入力すると、記憶部１３は、入出力部１５を介して入力された定期券購入情報等を記憶する。通信部１４は、入出力部１５を介して入力される定期券購入情報を含む第２の購入情報を定期券発売所制御装置２へ送信し、定期券発売所制御装置２から、定期券購入情報に対応する受付識別情報（受付番号）を受信し、入出力部１５が、受付識別情報を出力（表示）する。さらに、入出力部１５が、受付識別情報をプリントアウトする。後述する定期券の受け取りには、受付識別情報が必要となる。
【００１９】
事前入力用タブレット端末１Ｂ、１Ｃは、事前入力用タブレット端末１Ａと同様の構成であり、詳細説明は省略する。
【００２０】
ここで、ＩＣカードに記憶された情報について説明する。例えば、ＩＣカードは、少なくとも媒体識別情報を記憶する。例えば、ＩＣカードは、例えばクレジットカードである。また、ＩＣカードは、定期券として使用可能なクレジットカードであってもよい。
【００２１】
定期券発売所制御装置２は、制御部２１、情報処理部２２、記憶部２３、通信部２４、出力部２５を備える。定期券発売所制御装置２における各種処理は制御部２１により制御される。通信部２４は、事前入力用タブレット端末１Ａ（又は事前入力用タブレット端末１Ｂ、又は事前入力用タブレット端末１Ｃ）から送信される第１の購入情報及び第２の購入情報を受信し、記憶部２３は、受信した第１の購入情報及び第２の購入情報を記憶する。また、情報処理部２２は、第２の購入情報の受信に対応して、第２の購入情報に含まれる定期券購入情報に対応する受付識別情報（受付番号）を発行し、通信部２４は、受付識別情報を事前入力用タブレット端末１Ａ（又は事前入力用タブレット端末１Ｂ、又は事前入力用タブレット端末１Ｃ）へ送信する。また、通信部３４は、上位装置５へ、第１の購入情報及び第２の購入情報を送信する。上位装置５は、各定期券発売所の定期券発売所制御装置２からの第１及び第２の購入情報を受信し記憶する。
【００２２】
定期券発行用タブレット端末４Ａは、制御部４１、情報処理部４２、記憶部４３、通信部４４、入出力部４５を備える。定期券発行用タブレット端末４における各種処理は制御部４１により制御される。
【００２３】
事前入力用タブレット端末１の第１の受付モードで定期券購入情報の入力を終えたユーザは、窓口へ移動し、第１の受付モードで使用したＩＣカードを提示する。或いは、ユーザは、第２の受付モードで受け取った受付識別情報を提示する。窓口係員は、ＩＣカードを受け取り、定期券発行用タブレット端末４Ａに対応するＩＣカード読取発券装置５のカード口５Ａに受け取ったＩＣカードを挿入する。ＩＣカード読取発券装置５は、カード口５Ａに挿入されたＩＣカードから媒体識別情報を読み取り、定期券発行用タブレット端末４Ａへ通知する。或いは、窓口係員は、提示された受付識別情報を定期券発行用タブレット端末４Ａの入出力部４５から入力する。
【００２４】
定期券発行用タブレット端末４Ａの通信部４４は、ＩＣカード読取発券装置５から送信される媒体識別情報を受信し、媒体識別情報に対応する定期券購入情報の要求を定期券発売所制御装置２へ送信する。或いは、通信部４４は、入力された受付識別番号に対応する定期券購入情報の要求を定期券発売所制御装置２へ送信する。定期券発売所制御装置２の通信部２４は、媒体識別情報に対応する定期券購入情報の要求を受信し、情報処理部２２は、記憶部２３に記憶された定期券購入情報から、媒体識別情報に対応する定期券購入情報を検索し、通信部２４は、媒体識別情報に対応する定期券購入情報を定期券発行用タブレット端末４Ａへ送信する。或いは、定期券発売所制御装置２の通信部２４は、受付識別情報に対応する定期券購入情報の要求を受信し、情報処理部２２は、記憶部２３に記憶された定期券購入情報から、受付識別情報に対応する定期券購入情報を検索し、通信部２４は、受付識別情報に対応する定期券購入情報を定期券発行用タブレット端末４Ａへ送信する。
【００２５】
定期券発行用タブレット端末４Ａの通信部４４は、定期券発売所制御装置２から送信される媒体識別情報に対応する定期券購入情報を受信し、入出力部４５は、受信した定期券購入情報を表示する。或いは、通信部４４は、定期券発売所制御装置２から送信される受付識別情報に対応する定期券購入情報を受信し、入出力部４５は、受信した定期券購入情報を表示する。
【００２６】
ユーザ及び窓口係員は、表示された定期券購入情報に間違いがないこと確認すると、窓口係員は、入出力部４５を介して、定期券の発行を指示する。通信部４４は、ＩＣカード読取発券装置５に対して定期券購入情報及び定期券の発行の指示を送信する。
【００２７】
ＩＣカード読取発券装置５は、定期券購入情報及び定期券の発行の指示を受信し、定期券購入情報に基づきＩＣ定期券を発行する。例えば、ＩＣカード読取発券装置５のカード口５Ａに挿入されているＩＣカードが、定期券として使用可能なＩＣカードであれば、ＩＣカード読取発券装置５は、このＩＣカードに対して、定期券購入情報に含まれた発駅、着駅、経由駅、経路、開始日、有効期間等を含む定期券情報を書き込み、カード口５Ａは、挿入されているＩＣカードをＩＣ定期券として発行（返却）する。例えば、ＩＣカード読取発券装置５に挿入されているＩＣカードが、定期券として使用不能なＩＣカードであれば、ＩＣカード読取発券装置５は、新規ＩＣカードに対して、定期券購入情報に含まれた発駅、着駅、経由駅、経路、開始日、有効期間等を含む定期券情報を書き込み、カード口５Ａは、挿入されているＩＣカードを返却し、新規ＩＣカードをＩＣ定期券として発行（排出）する。
【００２８】
上記説明では、ＩＣカード読取発券装置５（カード口５Ａ）によるＩＣ定期券の発行について説明したが、磁気券読取発券装置６（カード口６Ａ）による磁気定期券の発行も同様である。
【００２９】
また、上記説明では、定期券発行用タブレット端末４ＡとＩＣカード読取発券装置５（カード口５Ａ）によるＩＣ定期券の発行と、定期券発行用タブレット端末４Ａと磁気券読取発券装置６（カード口６Ａ）による磁気定期券の発行について説明したが、定期券発行用タブレット端末４ＢとＩＣカード読取発券装置５（カード口５Ｂ）によるＩＣ定期券の発行と、定期券発行用タブレット端末４Ｂと磁気券読取発券装置６（カード口６Ｂ）による磁気定期券の発行も同様である。
【００３０】
なお、定期券発行用タブレット端末４Ａと、定期券発行用タブレット端末４Ａ側のカード口５Ａ及び定期券発行用タブレット端末４Ａ側のカード口６Ａとを対応付けることにより、カードの取り間違え等を防止することができる。同様に、定期券発行用タブレット端末４Ｂと、定期券発行用タブレット端末４Ｂ側のカード口５Ｂ及び定期券発行用タブレット端末４Ｂ側のカード口６Ｂとを対応付けることにより、カードの取り間違え等を防止することができる。
【００３１】
会計用タブレット端末７Ａは、定期券発行用タブレット端末４Ａから定期券購入情報を受信し、定期券購入情報に基づき定期券の発売額を出力（表示）し、入出金装置８は、会計用タブレット端末７Ａから定期券の発売額を受信し、ユーザから受け取った現金等に基づき精算処理を実行する。
【００３２】
上記説明したように、定期券発行システムは、ネットワークで接続された複数台の事前入力用タブレット端末１Ａ、１Ｂ、１Ｃ、定期券発売所制御装置２、複数の定期券発行用タブレット端末４Ａ、４Ｂ、ＩＣ読取発券装置５、磁気券読取発券装置６、会計用タブレット端末７Ａ、７Ｂ、入出金装置８Ａ、８Ｂにより構成され、事前入力用タブレット端末１Ａ、１Ｂで入力された定期券購入情報に基づき定期券を発行するので、窓口係員が定期券購入情報を入力する手間を省略又は軽減できる。これにより、定期券発行処理がスムーズになり、混雑緩和にも大いに貢献できる。
【００３３】
次に図３、図４を参照して、定期券発行処理及び精算処理の一例について説明する。
【００３４】
図３に示すように、定期券の購入を希望するユーザは、事前入力用タブレット端末１Ａ等を介して、定期券購入情報（利用者入力情報）を入力する。例えば、ユーザは、事前入力用タブレット端末１Ａ等を介して、発駅、着駅を入力し、続いて経路を選択し、期間を入力する。また、ユーザは、事前入力用タブレット端末１Ａ等のＩＣ＿Ｒ／Ｗ１２に対してＩＣカードをセットする。事前入力用タブレット端末１Ａ等は、ＩＣ＿Ｒ／Ｗ１２を介して、ＩＣカードの媒体識別情報を読み取り、媒体識別情報及び定期券購入情報を定期券発売所制御装置２へ送信し、定期券発売所制御装置２は、媒体識別情報及び定期券購入情報を登録する。
【００３５】
定期券購入情報の入力を終えたユーザは、窓口へ移動し、ＩＣカードを提示する。窓口係員は、ＩＣカードの提示を受けて、定期券発行用タブレット端末４Ａが、ＩＣ＿Ｒ／Ｗを介して、ＩＣカードの媒体識別情報を読み取り、読み取った媒体識別情報を定期発売所制御装置２へ送信する。定期発売所制御装置２は、媒体識別情報を受信し、媒体識別情報に対応する定期券購入情報を検索し、定期券購入情報を定期券発行用タブレット端末４Ａへ送信する。定期券発行用タブレット端末４Ａは、定期券購入情報を受信し、表示する。窓口係員は、定期券発行用タブレット端末４Ａに、割引き、支払方法、発行指示を入力する。定期券発行用タブレット端末４Ａは、割引き、支払方法、発行指示を定期発売所制御装置２へ送信し、窓口係員が、ＩＣカード読取発券装置５にＩＣカードを挿入し、定期発売所制御装置２は、ＩＣカード読取発券装置５にＩＣカードの読み取りを指示する。定期券発行用タブレット端末４Ａは、ＩＣカード読取発券装置５に挿入されたＩＣカードの媒体識別情報を受け取り、ＩＣカード読取発券装置５に挿入されたＩＣカードが上記で使用したＩＣカードと同一であることを確認し、発行を指示する。同一であることが確認できなければ、発行を指示しない。
【００３６】
図４に示すように、定期券の発行終了後、会計用タブレット端末７Ａ等が、定期発売所制御装置２へＩＣカードの媒体識別情報を送信し、定期発売所制御装置２から定期券の発売金額を受け取り、入出金装置８Ａ等が、定期券の発売金額を受け取り、精算を完了する。
【００３７】
以下、本実施形態についてまとめる。
【００３８】
（１）装置構成
定期券発売所制御装置２は、各種の判定、エンコード生成、ＩＤデータ（上位系へ送信するデータ）生成等の機能を有し、さらに、ＩＤデータを上位装置９へ送信する機能を有する。また、事前入力用タブレット端末１Ａ、１Ｂ、定期券発行用タブレット端末４Ａ、４Ｂからの受信内容に基づき上位装置９へ照会する機能を有する。事前入力用タブレット端末１Ａ、１Ｂから受信するデータを、ＩＣカードのエンコードデータ毎に管理する機能を有する。ネットワーク経由で事前入力用タブレット端末１Ａ、１Ｂ、定期券発行用タブレット端末４Ａ、４Ｂ、及び駅務機器固有ハードウェアを接続する。定期券発行用タブレット端末４Ａ、４Ｂから受信する指示に基づき、駅務機器固有ハードウェアを動作させる。
【００３９】
複数台のタブレット端末（事前入力用タブレット端末１Ａ、１Ｂ、定期券発行用タブレット端末４Ａ、４Ｂ）で、定期券発行機の機能を実現する。例えば、各タブレット端末は、ＩＣ＿Ｒ／Ｗを備える。各タブレット端末は、ネットワーク経由で定期券発売所制御装置２に接続する。必要に応じて、定期券発行用タブレット端末４Ａ、４Ｂは、客用表示機、レシートプリンタ、自動釣銭機、クレジットカードリーダ等の周辺機器を接続する。
【００４０】
駅務機器固有ハードウェアとして、ＩＣ読取発券装置５、磁気券読取発券装置６等、高価で、使用頻度が低い駅務機器固有のハードウェアがある。ＩＣ読取発券装置５、磁気券読取発券装置６は、ネットワーク経由で定期券発売所制御装置２に接続され、複数のタブレット端末から共有される。
【００４１】
（２）動作
事前入力用タブレット端末１Ａ、１Ｂからの入力情報は定期券発売所制御装置２へ蓄積される。利用者が、事前入力用タブレット端末１Ａ、１Ｂで購入したい定期区間、期間などを入力して定期券発売所制御装置２に登録する。
【００４２】
ＩＣ読取発券装置５は、定期券発行用タブレット端末４Ａ、４Ｂへの入力情報、及び定期券発売所制御装置２に登録された入力情報に基づき、定期券を発行する。発行指示は、定期券発売所制御装置２経由でＩＣ読取発券装置５へ通知される。発行終了後、別の係員が会計用タブレット端末７等を用いて会計を行う。
【００４３】
（３）効果
定期券発売所で、情報の事前入力／定期券発行処理／会計処理を分業で実現することができる。
【００４４】
複数のタブレット端末から限られた駅務機器固有ハードウェアを共有することができ、導入費用、保守費用、設置スペース、消費電力の削減が可能となる。
【００４５】
主要な処理を定期券発売所制御装置２で実施するため、改造の際に定期券発売所制御装置２のみの改造で済み、改造費用の低減が可能となる。
【００４６】
上記実施形態で説明した台数の端末に限らず、複数台のタブレット端末で定期券発行システムを構成することができ、また、定期券発行と会計を同じタブレット端末で実現してもよい。さらに、利用者ではなく係員が事前入力を行う場合、係員による入力までを事前入力用タブレットで実現してもよい。
【００４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１Ａ、１Ｂ、１Ｃ…事前入力用タブレット端末（情報入力端末）、２…定期券発売所制御装置（情報管理装置）、４Ａ、４Ｂ…複数の定期券発行用タブレット端末、５…ＩＣ読取発券装置、６…磁気券読取発券装置、７Ａ、７Ｂ…会計用タブレット端末、８Ａ、８Ｂ…入出金装置
【図１】
2014182757.tif 000003
【図２】
2014182757.tif 000004
【図３】
2014182757.tif 000005
【図４】
2014182757.tif 000006